(57)【要約】【課題】測定車両を走行させながら、舗装路面の高機能性能の評価に結びつく吸音率を高精度で測定することにある【解決手段】測定車両３に、時間引き伸しパルス（Time Stretched Pulse）音（以下ＴＳＰ音と略称する）を発生するテープレコーダ１、スピーカ４、マイクロホン５及びデータレコーダ６を搭載し、テープレコーダ１から発生するＴＳＰ音をスピーカ４より舗装路面に向けて放射し、ＴＳＰ音の直接音及び舗装路面からの反射音をマイクロホン５により受音して、データレコーダ６に録音し、このデータレコーダに録音されたＴＳＰ音を分析手段により、直接音と反射音とを分離するとともに、道路交通騒音の影響が大きい周波数帯域に重点をおいて、反射音の部分のみを分析し、その分析結果を演算して舗装路面の排水性機能や沿道地域への低騒音機能に結びつく吸音率を求める。【選択図】      図１
2005213928.tif 000002
【特許請求の範囲】
【請求項１】
測定車両に、時間引き伸しパルス（Time Stretched Pulse）音（以下ＴＳＰ音と略称する）を発生するＴＳＰ音発生源、スピーカ、マイクロホン及びデータレコーダを搭載し、前記ＴＳＰ音を前記スピーカより舗装路面に向けて放射し、前記ＴＳＰ音の直接音及び前記舗装路面からの反射音を前記マイクロホンにより受音して、前記データレコーダに録音し、このデータレコーダに録音されたＴＳＰ音を分析手段により、直接音と反射音とを分離するとともに、道路交通騒音の影響が大きい周波数帯域に重点をおいて、反射音の部分のみを分析し、その分析結果を演算して前記舗装路面の排水性機能や沿道地域への低騒音機能に結びつく吸音率を求めることを特徴とする道路舗装路面の吸音率測定方法。
【請求項２】
請求項１記載の道路舗装路面の吸音率測定方法において、前記測定車両の走行速度に応じてＴＳＰ音を放射する前記スピーカ位置又はマイクロホンの受音位置を変更することにより、前記測定車両が停止状態から走行状態までの吸音率を測定可能にしたことを特徴とする道路舗装路面の吸音率測定方法。
【請求項３】
請求項１記載の道路舗装路面の吸音率測定方法において、前記分析手段は、直接音と反射音が混在するデータをフーリエ変換、逆フィルタ及び逆フーリエ変換を活用して、直接音と反射音を分離した後、反射音の部分をフーリエ変換して周波数分析を行うことを特徴とする道路舗装路面の吸音率測定方法。
【請求項４】
請求項３記載の道路舗装路面の吸音率測定方法において、周波数分析は、１／１２オクターブの中心周波数を用い、且つバンド幅は１／３オクターブバンド幅を採用して解析することを特徴とする道路舗装路面の吸音率測定方法。
【請求項５】
請求項１記載の道路舗装路面の吸音率測定方法において、演算手段で求められる舗装路面の吸音率は、密粒舗装路面や比較的に音の反射特性が強い路面などの基準面で測定された反射音を演算して得られた吸音率を基に、補正項を設定して補正計算されることを特徴とする道路舗装路面の吸音率測定方法。
【請求項６】
請求項１記載の道路舗装路面の吸音率測定方法において、演算手段で求められる舗装路面の吸音率は、一発毎のＴＳＰ音を個々に順次分析して得られた結果を基に、連続して導かれた演算結果を平均した吸音率によって評価することを特徴とする道路舗装路面の吸音率測定方法。
【請求項７】
時間引き伸しパルス（Time Stretched Pulse）音（以下ＴＳＰ音と略称する）を発生するパルス発生源よりサイクリックに出力されるＴＳＰ音を舗装路面に向けて放射するスピーカと、このスピーカより放射されたＴＳＰ音の直接音と舗装路面からの反射音とを受音するマイクロホンを測定車両後部に形成された音響ボックス内に配置し、且つ受音されたＴＳＰ音を録音するデータレコーダを測定車両に搭載し、前記データレコーダに録音されたＴＳＰ音を再生してデジタルデータに変換するデジタル変換手段と、このデジタル変換手段により変換されたデジタルデータから直接音と反射音とを分離する分析手段と、この分析手段より反射音のみを取出して所定の演算により舗装路面の物理的特性である吸音率を求める演算手段とを備えたことを特徴とする道路舗装路面の吸音率測定装置。
【請求項８】
請求項７記載の道路舗装路面の吸音率測定装置において、前記音響ボックス内に設置されるマイクロホンを所定の位置に固定し、前記スピーカを前記測定車両の進行方向に移動可能に支持し、当該スピーカを前記測定車両の走行速度に応じて移動調整するようにしたことを特徴とする道路舗装路面の吸音率測定装置。
【請求項９】
請求項８記載の道路舗装路面の吸音率測定装置において、前記スピーカは、舗装路面に対してＴＳＰ音が予定の角度をもって放射されるように傾斜させて配置され、前記マイクロホンは、舗装路面からの反射音が垂線に対して予定の角度で入射するように傾斜させて固定されることを特徴とする道路舗装路面の吸音率測定装置。
【発明の詳細な説明】
【技術分野】
【０００１】
本発明は、時間引き伸しパルス（Time Stretched Pulse）音（以下ＴＳＰ音と略称する）を発生するパルス発生源を利用して、測定車両を走行しながら道路舗装路面の吸音率を測定する方法及び装置に関する。
【背景技術】
【０００２】
近年高機能舗装として活用されるようになってきている高機能舗装（一般的には排水性舗装と呼ぶ場合が多い）は、排水性機能による降雨時の走行性向上特性と音の伝播特性機能による沿道騒音改善特性（この機能のために低騒音舗装とも呼ばれる）を有している。
【０００３】
これらの機能特性は、いずれも舗装路面が多くの空隙を有していることに起因している。
【０００４】
これら舗装路面の有する空隙は、舗装工事完了後の供用経過に伴い、土砂の浸入等による空隙詰まり、さらに走行車両の加重による空隙つぶれ等により高機能特性の劣化が進行してしまう。
【０００５】
従って、舗装路面の高機能特性を空隙率の観点で測定する方法が各種採用されている。
【０００６】
以下に、これまでに採用されている舗装路面の評価手法、特に舗装の空隙が及ぼす影響を何らかの付加的特性の測定等により評価する方法を列挙する。
【０００７】
（１）測定車両に特殊タイヤを装着し、この特殊タイヤによる走行タイヤ音を測定する路面走行タイヤ音測定方法。
【０００８】
（２）定置式の垂直入射吸音率を測定する管内法と呼ばれているもので、この管内法には定在波比法（例えば、非特許文献１）と、２マイクロホン法（例えば、非特許文献２）がある。
【０００９】
（３）車両を走行させながらスピーカからピンクノイズを放射してその反射音の大きさをdB値で測定するスピーカ反射音による測定方法。
【００１０】
（４）車両を走行させながらインパルスを放射し、超音波吸音率を測定する方法。
【００１１】
（５）定置式でピンクノイズを放射し、音響ボックス内の吸音レベルを測定する舗装の吸音レベル測定方法。
【非特許文献１】ＪＩＳ  Ａ１４０５
【非特許文献１】ＩＳＯ  １０５３４−２
【発明の開示】
【発明が解決しようとする課題】
【００１２】
上記（１）の路面走行タイヤ音測定方法は、タイヤの種類、走行速度、車両重量等により変化する値を測定するものであり、舗装路面のもつ空隙等に伴う物理的特性である吸音率を測定するものではないため、舗装の客観的評価の点で問題がある。
【００１３】
上記（２）の管内法と呼ばれている定在波比法及び２マイクロホン法は、いずれも試験室内又は現地ともに定置式で測定するものであり、車両を走行させながらの測定は、不可能である。
【００１４】
また、上記（３）のスピーカ反射音による測定方法は、ピンクノイズを使用するため直接音と反射音を分離して測定することは不可能であるとともに、音源であるスピーカの出力により測定値が変動してしまうため相対的測定値となり、客観性に課題が残る。
【００１５】
上記（４）のインパルス音（ＴＳＰ音とは特性が異なるパルス音）を採用している超音波吸音率測定方法は、５KHZ〜４０KHZの音波のみを対象としているため、道路交通騒音への影響が大きい周波数帯域、特に1000Ｈｚを中心とする可聴域の周波数帯域が測定対象とされていない点に課題がある。
【００１６】
上記（５）の舗装の吸音レベル測定方法は、上記（３）と同様にピンクノイズを使用しているため、受音点における反射音の分離ではなく、反射音以外を排除する測定手法を採用しているため、定置式であり、走行しながらの測定は不可能である。
【００１７】
本発明は、これらの課題を考慮し、測定車両を走行させながら舗装路面が有する空隙率に対応して変動する物理的特性である吸音率を効率的に測定することによって、舗装路面の有する高機能特性を評価できる道路舗装路面の吸音率測定方法及び装置を提供することを目的とする。
【課題を解決するための手段】
【００１８】
本発明は上記の目的を達成するため、次のような方法及び手段により道路舗装路面の吸音率を測定するものである。
【００１９】
請求項１に対応する発明は、測定車両に、時間引き伸しパルス（Time Stretched Pulse）音（以下ＴＳＰ音と略称する）を発生するパルス発生源、スピーカ、マイクロホン及びデータレコーダを搭載し、前記パルス発生源から発生するＴＳＰ音を前記スピーカより舗装路面に向けて放射し、前記ＴＳＰ音の直接音及び前記舗装路面からの反射音を前記マイクロホンにより受音して、前記データレコーダに録音し、このデータレコーダに録音されたＴＳＰ音を分析手段により、直接音と反射音とを分離するとともに、道路交通騒音の影響が大きい周波数帯域（特に1000Ｈｚを中心とする可聴域の周波数帯域）に重点をおいて、反射音の部分のみを分析し、その分析結果を演算して前記舗装路面の排水性機能（透水性能等による舗装路面の走行性向上機能）や沿道地域への低騒音機能（車両から舗装路面を通して伝播されるエンジン等の路面反射音や走行タイヤ音の低減機能）に結びつく吸音率を求める。
【００２０】
請求項２に対応する発明は、請求項１に対応する発明の道路舗装路面の吸音率測定方法において、前記測定車両の走行速度に応じてＴＳＰ音を放射する前記スピーカ位置又はマイクロホンの受音位置を変更することにより、前記測定車両によって、停止状態から走行状態までの道路舗装路面の吸音率を測定可能にする。
【００２１】
請求項３に対応する発明は、請求項１に対応する発明の道路舗装路面の吸音率測定方法において、前記分析手段は、直接音と反射音が混在するデータをフーリエ変換、逆フィルタ及び逆フーリエ変換を活用して、直接音と反射音を分離した後、反射音の部分をフーリエ変換して周波数分析を行う。
【００２２】
請求項４に対応する発明は、請求項３に対応する発明の道路舗装路面の吸音率測定方法において、周波数分析は、１／１２オクターブの中心周波数を用い、且つバンド幅は１／３オクターブバンド幅を採用して解析する。
【００２３】
請求項５に対応する発明は、請求項１に対応する発明の道路舗装路面の吸音率測定方法において、基準路面（例えば密粒度舗装路面）で測定された反射音を演算して得られた吸音率を基に補正項を設定し、相対吸音率とする。
【００２４】
請求項６に対応する発明は、請求項１に対応する発明の道路舗装路面の吸音率測定方法において、舗装路面の吸音率は、一発毎のＴＳＰ音を個々に順次分析して得られた結果を基に、連続的に吸音率を求める。
【００２５】
請求項７に対応する発明は、時間引き伸しパルス（Time Stretched Pulse）音（以下ＴＳＰ音と略称する）を発生するパルス発生源よりサイクリックに出力されるＴＳＰ音を舗装路面に向けて放射するスピーカと、このスピーカより放射されたＴＳＰ音の直接音と舗装路面からの反射音（道路交通騒音の影響が大きい可聴域の周波数帯域に重点を置いている）とを受音するマイクロホンを測定車両後部に形成された音響ボックス内に配置し、且つ受音されたＴＳＰ音を録音するデータレコーダを測定車両に搭載し、前記データレコーダに録音されたＴＳＰ音を再生してデジタルデータに変換するデジタル変換手段と、このデジタル変換手段により変換されたデジタルデータから直接音と反射音とを分離する分析手段と、この分析手段より反射音のみを取出して所定の演算により舗装路面の物理的特性である吸音率を求める演算手段とを備える。
【００２６】
請求項８に対応する発明は、請求項７に対応する発明の道路舗装路面の吸音率測定装置において、前記音響ボックス内に設置されるマイクロホンを所定の位置に固定し、前記スピーカを前記測定車両の進行方向に移動可能に支持し、当該スピーカを前記測定車両の走行速度に応じて移動調整する。
【００２７】
請求項９に対応する発明は、請求項８に対応する発明の道路舗装路面の吸音率測定装置において、前記スピーカは、舗装路面に対してＴＳＰ音が予定の角度をもって放射するように傾斜させて配置され、前記マイクロホンは舗装路面からの反射音が垂線に対して予定の角度で入射するように傾斜させて固定される。
【発明の効果】
【００２８】
本発明は、舗装路面が有する空隙率に対応して変動する物理特性である吸音率を効率良く測定することによって、舗装路面の有する排水性能による走行性向上や沿道騒音低減につながる低騒音性能などの高機能特性を効率良く評価することができる。
【発明を実施するための最良の形態】
【００２９】
以下本発明の実施形態について図面を参照して説明する。
【００３０】
図１は本発明の第１の実施形態を示す道路舗装路面の吸音率測定装置の系統構成図である。
【００３１】
図１において、１はＴＳＰ音の信号が録音されたテープレコーダ、２はこのテープレコーダ１からサイクリックに出力されるＴＳＰ音の信号を所定のレベルに増幅するアンプで、これらは音源系を構成している。
【００３２】
また、３は測定車両の例えば後輪より後方の車体上に存する障害物の少ないスペースを利用して形成された音響ボックスで、この音響ボックス３内にスピーカ４とマイクロホン５が詳細を後述する構成並びに関係にしてそれぞれ配置され、スピーカ４は上記アンプ２で増幅されたＴＳＰ音を舗装路面に向けて放射し、またマイクロホン５はスピーカ４から放射したＴＳＰ音の直接音と舗装路面からの反射音を受音する。
【００３３】
さらに、６はマイクロホン５により受音されたＴＳＰ音の直接音と反射音が騒音計７を介して入力されるデータレコーダで、このデータレコーダ６はＴＳＰ音の直接音と反射音を録音するものである。
【００３４】
一方、８はデータレコーダ６で録音されたＴＳＰ音を再生し、必要な部分のデータを取込むパソコンで、このパソコン８は図２に示すようにデータレコーダ６で再生されたデータをデジタルデータに変換するＡ／Ｄ変換手段９、このＡ／Ｄ変換手段９で変換されたデジタルデータを分析用ソフトにより直接音と反射音とを分離する分析手段１０、この分析手段１０により分離された反射音のみ取込んで吸音率を求める演算手段１１及びこの演算手段１１で求められた反射音の吸音率を表示する表示手段１２を備えている。
【００３５】
これらデータレコーダ６、騒音計７及びパソコン８は、測定系を構成している。
【００３６】
ここで、上記音響ボックス３の構成とスピーカ４及びマイクロホン５の配置について図３及び図４により説明する。
【００３７】
図３に示すように音響ボックス３は、その内面に吸音材１３が貼り付けられ、一種の無響室の状態を模擬している。この場合、吸音材１３は１００％の吸音ではなく、僅かではあるが反射音が発生する。そこで、マイクロホン５の位置を固定しておけば、周囲の壁からの反射音の影響は一定となる。
【００３８】
また、測定車両の走行時においては、スピーカ４から舗装路面にＴＳＰ音を放射したときの車両位置とマイクロホン５により舗装路面からの反射音を受音したときの車両位置は車両速度によって異なる。したがって、測定車両を常時一定の速度で走行させるもとすれば、その速度からＴＳＰ音を放射してから反射音を受音するまでの間に車両が移動する距離を求めることができるので、その移動距離に相当する分スピーカ４とマイクロホン５の車両の進行方向に対する取付け位置をずらせておけばよい。
【００３９】
さらに、測定車両は一般道と高速道路では異なる速度で走行するため、スピーカ４又はマイクロホン５のいずれかの取付け位置を測定車両の速度に応じて調整する必要がある。
【００４０】
本実施形態では、反射音の影響を一定にするため、マイクロホン５の位置を固定し、スピーカ４を測定車両の速度に応じてスライド移動可能な構成とするものである。
【００４１】
図４は音響ボックス３内にマイクロホン５及びスピーカ４の支持構造を示すものである。
【００４２】
図４に示すようにマイクロホン５は音響ボックス３内の後方側面に取付けられた固定用パイプ１４に取付けられ、またスピーカ４は音響ボックス３内の両側面に設けられた一対のガイド１５間に跨って配設された支持棒１６に取付けられている。
【００４３】
この場合、スピーカ４は、図３に示すように舗装路面１７に対してＴＳＰ音がθの角度をもって放射するように傾斜させて配置され、またマイクロホン５は舗装路面１７からの反射音が垂線に対してθの角度で入射するように傾斜させて固定されている。
【００４４】
因みに、本例ではスピーカ４からのＴＳＰ音の放射角度θをθ＝５°としたとき、ＴＳＰ音の放射面から舗装路面１７までの距離を1125mmとし、マイクロホン５の受音面までの距離を875mmとしてある。
【００４５】
また、支持棒１６は、ガイド１５に沿って車両の進行方向に移動調整可能に支持され、図示しないネジ等の固定具により固定される。また、ガイド１５には支持棒１６の移動量を示すスケールが付されている。
【００４６】
次に上記のように構成された道路舗装路面の吸音率測定装置の作用を説明する。
【００４７】
まず、ＴＳＰ音の測定原理について述べる。
【００４８】
スピーカから放射するＴＳＰ音は、一般に時間の長さがゼロの音と定義されるが、極限まで時間を短くした音と考えることができる。
【００４９】
また、音の性質として図５に示すようにフーリエ変換及びフーリエ逆変換で、時間領域から周波数領域へ、周波数領域から時間領域へ相互に移動することができる。
【００５０】
そこで、いま図６（ａ），（ｂ）に示すように時刻ｔ０でスピーカ４からＴＳＰ音を放射すると、まず、直接音がマイク５に到達し、少し時間差を置いて路面からの反射音が到達する。ここで、ＴＳＰ音に対して、フーリエ変換を行い、逆フィルタをかけて、逆フーリエ変換を行うことで、時間差のある直接音と反射音とを分離することができる。
【００５１】
この分離された直接音と反射音から、反射音のみを取出してフーリエ変換し、周波数分析を行った後、所定の演算を実行することにより舗装路面に存する空隙の吸音率を求めることができる。
【００５２】
次に道路舗装路面の吸音率の測定方法について述べる。
【００５３】
いま、テープレコーダ１に録音されているＴＳＰ音の信号がアンプ２により所定のレベルに増幅され、スピーカ４から道路舗装路面に向けてＴＳＰ音が放射されると、マイクロホン５にはＴＳＰ音の直接音と路面からの反射音とが受音され、一旦データレコーダ６に録音された後、必要な部分を再生してパソコン８に入力される。この場合、データレコーダ６で再生されたデータはオンライン又はオフラインのいずれかの方法でパソコン８に入力される。
【００５４】
パソコン８に入力されたデータは、Ａ／Ｄ変換手段９によりデジタルデータに変換され、分析手段９に取込まれる。分析手段９では、直接音と反射音が混じった観測データをフーリエ変換して時間領域から周波数領域に移行させた後、逆フィルタをかけてフーリエ逆変換して時間領域に戻すと、直接到達音と反射到達音の二つのピークを得ることができる。その後、道路交通騒音への影響が大きい周波数帯域、特に1000Ｈｚを中心とする可聴域の周波数帯域に重点をおいて、反射音の部分を切り出してフーリエ変換を行って、周波数分析を行い、その結果をdB値へ変換して演算手段１１に取込む。
【００５５】
演算手段１１では、次のような演算により道路舗装路面の吸音率を計算することができる。
【００５６】
図７（ａ）に示すように完全反射の剛壁（実際的にはコンクリート面等を完全反射の剛壁）の反射音と図７（ｂ）に示すように測定試料の反射音の比を求めることで、吸音率を求めることができる。
【００５７】
ここで、吸音率の演算式を示すと次の通りである。
【００５８】
α（θ）＝１−Ｐｓ（θ）／Ｐｒ（θ）
Ｐｒ（θ）：剛壁の反射音のパワースペクトル
Ｐｓ（θ）：試料の反射音のパワースペクトル
θ：１／３オクターブバンドの各周波数のパラメータ
前述した完全反射としてのコンクリート舗装でのデータは得ることができないため、本例では密粒舗装のデータを採用している。
【００５９】
ここで、実用的な舗装路面評価を用いる吸音率の求め方について述べる。
【００６０】
舗装路面の吸音率の計算は次のような方法で行われる。
【００６１】
（ａ）ＴＳＰ音の切り出し
マイクロホンで受音されるＴＳＰ音から反射音を切り出すには、図８に示すように反射音が立ち上がる直前から３msecの時間波形を切り取り、フーリエ変換を行う。
【００６２】
分析結果はＴＳＰ音の性質により図９に示すように全ての周波数成分を含む周波数特性となる。
【００６３】
図９において、縦軸はパワースペクトルであり、横軸はリニアスケールである。
【００６４】
通常は１／３オクターブバンドに切り分けて、バンド毎のdB値に変換する。中心周波数ｆmとその前後の遮断周波数の関係は以下の通りである。
【００６５】
ｆ1＝ｆm／6√２＝0.890ｆm
ｆ２＝6√２ｆm＝1.1225ｆm
この範囲の周波数帯の合成値を計算し、相対値のdB値とする。
【００６６】
（ｂ）１／１２オクターブ分析を行う
吸音率のピーク周波数をより正確に捉えるために、１／１２オクターブの中心周波数を採用する。１／３オクターブバンドでは吸音率のピークが遮断周波数付近にあるとピークが判然としない場合があるため、１オクターブを１２分割する細かさとして分析する。
【００６７】
但し、分析結果に安定性を与えるために、バンド幅は１／３オクターブバンド幅を採用している。
【００６８】
図１０は、解析結果の１例を示すグラフで、横軸は１／１２オクターブ分析の各バンドであり、縦軸は相対レベルのdB値である。
【００６９】
図１０に示すような分析を基準面の場合と試料の場合とをそれぞれ行い、バンド毎に前述した吸音率の演算式に代入し、比較演算をすれば吸音率の周波数特性を得ることができる。
【００７０】
（ｃ）相対吸音率を求める
通常の場合の吸音率は、前述した演算式により求められるが、前述したように完全反射としてのコンクリート舗装でのデータを得ることはできないことから、密粒舗装のデータを採用し、密粒舗装を吸音率計算の基準とすることから「相対吸音率」と呼ぶことにする。また、密粒舗装は０．１程度の吸音率であることは、学会誌などで発表されている。そこで、以下の式で吸音率を計算し、相対吸音率と呼ぶことにする。
【００７１】
α（θ）＝１−Ｐｓ（θ）／Ｐｒ（θ）＋０．１
Ｐｒ（θ）：基準面（密粒舗装）の反射音のパワースペクトル
Ｐｓ（θ）：試料の反射音のパワースペクトル
θ：１／１２オクターブバンドの各周波数のパラメータ
（ｄ）平均射入相対吸音率の計算方法
計算方法は通常の平均射入射吸音率と同様であるが、吸音率の項に相対吸音率を用いる点が異なっている。
【００７２】
計算方法について示すと下記の表１のようになる。
【表１】
2005213928.tif 000003
【００７３】
上記表において、周波数は１／１２オクターブバンドの中心周波数となる。
【００７４】
ＬAi：ｉ番目の周波数の道路交通騒音のＡ特性スペクトル
αi ：ｉ番目の周波数の射入射相対吸音率
ＬAiはＡＳＪModel  1998の定義式に従って計算することができる。
【００７５】
以上の結果、平均斜入射吸音率は、α＝（イ）項／（ロ）項として求めることができる。
【００７６】
このようにして求められた平均射入射吸音率の一例として、東京都内の東八道路のＤ２工区におけるデータを示すと下記表２に示すようになる。
【表２】
2005213928.tif 000004
【００７７】
ＬAiの項の合成値が０dBとなるように補正を行っているので、（イ）項の和は１になる。従って、（ロ）項を（イ）項で割る必要はない。この例では走行速度40Kmと６０kmでの計算結果では平均射入射相対吸音率はそれぞれ０．３４と０.３２であり、ほぼ一致していることが分かる。
【００７８】
このように本実施形態では、測定車両３にＴＳＰ音を録音したテープレコーダ１、このテープレコーダ１よりサイクリックに出力されるＴＳＰ音を舗装路面に向けて放射するスピーカ４、このスピーカ４より放射されたＴＳＰ音の直接音と舗装路面からの反射音を受音するマイクロホン５及びこのマイクロホン５で受音されたＴＳＰ音を記録するデータレコーダ６を搭載し、測定車両３を走行させながらテープレコーダ１よりサイクリックに出力されるＴＳＰ音をスピーカ４から放射し、マイク５で直接音と反射音とを受音するとともに、データレコーダ６に記録し、このデータレコーダ６に記録されたＴＳＰ音をパソコン８に取込んで、Ａ／Ｄ変換手段９によりデジタルデータに変換した後、分析手段１０により直接音と反射音を分離するとともに、道路交通騒音への影響が大きい周波数帯域、特に1000Ｈｚを中心とする可聴域の周波数帯域に重点をおいて、反射音のみを取出して演算手段１１により所定の演算式に基づいて演算することで舗装路面の排水性機能（透水性能等による舗装路面の走行性向上機能）や沿道地域への低騒音機能（車両から舗装路面を通して伝播されるエンジン等の路面反射音や走行タイヤ音の低減機能）に結びつく舗装路面の吸音率を求めるようにしたものである。
【００７９】
従って、測定車両を走行させながら舗装路面の吸音率を高精度で測定でき、もって高機能舗装路面を効率良く評価することができる。
【００８０】
また、スピーカ４からのＴＳＰ音の放射位置を測定車両３の走行速度に応じて変更することにより、測定車両が停止状態から走行状態までの吸音率を測定することができる。
【００８１】
さらに、分析手段１０では、直接音と反射音が混在するデータをフーリエ変換、逆フィルタ及び逆フーリエ変換を活用して直接音と反射音を分離した後、反射音の部分をフーリエ変換し、１／１２オクターブの中心周波数を用い、且つ１／３オクターブバンド幅として周波数分析しているので、各バンド幅での解析を行うに際して、ピークを的確に把握するとともに、安定した測定が可能となる。
【００８２】
また、演算手段１１で求められる舗装路面の吸音率は、密粒舗装路面を基準に測定された吸音率をもとに補正値を定めて補正されるので、吸音率の測定の簡略化を図ることができる。
【００８３】
さらに、演算手段１１で求められる舗装路面の吸音率は、一発毎のＴＳＰ音を個々に順次分析して得られた結果を基に、連続して導かれた演算結果を平均した吸音率によって評価することにより、測定結果の安定化を図ることができる。
【００８４】
一方、測定車両後部に形成された音響ボックス３にスピーカ４を測定車両の進行方向に移動可能に、且つ舗装路面に対してＴＳＰ音が予定の角度をもって放射するように傾斜させて支持し、マイクロホン５を所定の位置に舗装路面からの反射音が垂線に対して予定の角度で入射するように傾斜させて固定しているので、コンパクトで且つ正確な測定を行うことができる。
【００８５】
また、500Ｈｚ以下の周波数帯域での測定は、音響ボックス３の形状、寸法などを大きくし、スピーカ４とマイクロホン５の位置をそれぞれ高く設定することにより対応が可能である。
【図面の簡単な説明】
【００８６】
【図１】本発明による第１の実施形態を示す道路舗装路面の吸音率測定装置の系統構成図。
【図２】同実施形態におけるパソコンの機能ブロック図。
【図３】同実施形態において、測定車両に形成された音響ボックス及びスピーカ及びマイクロホンの配置関係の説明図。
【図４】同じく音響ボックス内に配置されるスピーカ及びマイクロホンの支持構造を示す斜視図。
【図５】ＴＳＰ音の測定原理に付いての説明図。
【図６】スピーカから放射したＴＳＰ音をマイクロホンで受音したときの観測波形の説明図。
【図７】同実施形態において、基準面と飼料面の反射音から吸音率の求め方を説明するための図。
【図８】同実施形態において、反射音の切り取りを説明するための波形図。
【図９】同じく分析結果の全ての周波数成分を示す周波数特性図。
【図１０】同じく解析結果の一例を示すグラフ。
【符号の説明】
【００８７】
１…テープレコーダ、２…アンプ、３…音響ボックス、４…スピーカ、５…マイクロホン、６…データレコーダ、７…騒音計、８…パソコン、９…Ａ／Ｄ変換手段、１０…分析手段、１１…演算手段、１２…表示手段、１３…吸音材、１４…固定用パイプ、１５…ガイド、１６…支持棒
【図１】
2005213928.tif 000005
【図２】
2005213928.tif 000006
【図３】
2005213928.tif 000007
【図４】
2005213928.tif 000008
【図５】
2005213928.tif 000009
【図６】
2005213928.tif 000010
【図７】
2005213928.tif 000011
【図８】
2005213928.tif 000012
【図９】
2005213928.tif 000013
【図１０】
2005213928.tif 000014